(57)【要約】      （修正有）【課題】昭和５６年以前の旧耐震基準に基づき壁構造又は壁式構造形式で設計された学校・病院・共同住宅等の耐震補強工事に最適な耐震補強用シート貼り壁を提供する。【解決手段】学校、病院、共同住宅の壁構造又は壁式構造の建物において、該壁構造又は壁式構造の建物を構成する耐力壁の表面に炭素繊維シート又は耐アルカリ性ビニロン繊維メッシュシート又はポリエステル繊維ベルトシートを巻着又は貼着して耐震補強シート部材９となし、耐震補強シート部材はエポキシ樹脂又はポリウレタン樹脂、又はモルタル系接着剤１０を用いて耐力壁８の表面に接着されていることを特徴とする。【選択図】図２
0003194862.tif 000002
【実用新案登録請求の範囲】
【請求項１】
学校、病院、共同住宅の壁構造又は壁式構造の建物において、該壁構造又は壁式構造の建物を構成する耐力壁の表面に炭素繊維シート又は耐アルカリ性ビニロン繊維メッシュシート又はポリエステル繊維ベルトシートを巻着又は貼着して耐震補強シート部材となし、該耐震補強シート部材はエポキシ樹脂又はポリウレタン樹脂、又はモルタル系接着剤を用いて耐力壁の表面に接着されていることを特徴とする耐震補強用シート貼り壁。
【請求項２】
学校、病院、共同住宅の壁構造又は壁式構造の建物において、該壁構造又は壁式構造の建物を構成する耐力壁の表面に炭素繊維シート又は耐アルカリ性ビニロン繊維メッシュシート又はポリエステル繊維ベルトシートを巻着又は貼着して耐震補強シート部材となし、該耐震補強シート部材はエポキシ樹脂又はポリウレタン樹脂、又はモルタル系接着剤を用いて耐力壁の表面に接着されており、該耐震補強シートのトップコートには耐火性能を有する熱反射性塗料又は断熱塗料を塗布したことを特徴とする耐震補強用シート貼り壁。
【考案の詳細な説明】
【技術分野】
【０００１】
本考案は、壁構造、又は壁式構造の建物を耐震補強するための耐震補強用シート貼り壁に関するものである。
【背景技術】
【０００２】
学校、病院、共同住宅等の建物は、多くの場合、建物の構造形式を壁構造、又は壁式構造を採用して構築してきた。壁構造、又は壁式構造の建物は、所謂、カーテンウォール形式の建物と異なり、柱や梁を用いずに壁や床などを面状の部材の組み合わせで建物を支える構造や（壁構造）、壁面や床面など平面的な構造材を組み合わせ、その壁で構造を支えるために、室内空間に耐力壁を設けた構造（壁式構造）の建物である。
【０００３】
従って、壁構造や壁式構造の建物を耐震補強するには、従来から建物の耐力壁に補強用の斜材や筋交いを入れるブレース形式の耐震補強がなされてきた。然しながら、ブレース形式の耐震壁補強部材を採用した耐震壁補強工法では、所謂、バッテン形状のブレースが、耐震補強壁や窓開口部に形成されてしまい建物全体の意匠に悪影響を及ぼす他、特に開口部においては、開口部の機能を損なうことが多いために、ブレースを用いた耐震壁補強工事の採用、並びにその実施には多くの戸惑いや逡巡がある。
【０００４】
また、従来の耐震壁補強工事においては、建物の耐力壁における構造鉄骨や鉄筋に直接ブレースを固着するなど、大規模な工事となり、学校、病院、共同住宅などでは、その建物の使用目的からして、騒音や振動よる不快感を回避するために工事中の建物利用に課題があり、多くの場合、耐震壁補強工事の着工は、建物の使用を一時止めた後に施工されるような対策が採られている。
【考案の概要】
【考案が解決しようとする課題】
【０００５】
本考案は、従来から一般的に採用されてきた建物の耐力壁に補強用の斜材や筋交いを入れるブレース形式の耐震壁補強工法に替わるものである。而して、本考案においては、バッテン形状のブレースが、耐震補強壁や窓開口部に形成されてしまい建物全体の意匠に悪影響を及ぼす他、開口部においては、開口部の機能を損なうことが多いために、ブレースを用いた耐震壁補強工事の採用、並びにその実施には多くの戸惑いや逡巡があった点を解決するものである。
【０００６】
また、従来の耐震壁補強工事においては、建物の耐力壁における構造鉄骨や鉄筋に直接ブレースを固着するなど、大規模な工事となり、学校、病院、共同住宅などでは、その建物の使用目的からして、騒音や振動よる不快感を回避するために工事中の建物利用に課題があり、多くの場合、耐震壁補強工事の着工は、建物の使用を一時止めた後に施工されるような対策が採られていた点に鑑みて、本考案は、工事中の騒音や振動を最小限に軽減するものである。
【課題を解決するための手段】
【０００７】
本考案は、壁構造又は壁式構造の建物において、該壁構造又は壁式構造の建物を構成する耐力壁の表面に炭素繊維シートや耐アルカリ性ビニロン繊維メッシュシート並びにポリエステル繊維ベルトシートを巻着又は貼着して耐震補強シート部材となし、該耐震補強シート部材はエポキシ樹脂やポリウレタン樹脂、或いはモルタル系接着剤を用いて耐力壁の表面に接着されている耐震補強用シート貼り壁を提供するものである。
【０００８】
また、本考案は、壁構造又は壁式構造の建物において、該壁構造又は壁式構造の建物を構成する耐力壁の表面に炭素繊維シートや耐アルカリ性ビニロン繊維メッシュシート並びにポリエステル繊維ベルトシートを巻着又は貼着して耐震補強シート部材となし、該耐震補強シート部材はエポキシ樹脂やポリウレタン樹脂、或いはモルタル系接着剤を用いて耐力壁の表面に接着されており、該耐震補強シートのトップコートには耐火性能を有する熱反射性塗料又は断熱塗料を塗布した構成の耐力壁における耐震補強用シート貼り壁を提供するものである。
【考案の効果】
【０００９】
斯くして、本考案は、従来から一般的に採用されてきた建物の耐力壁に補強用の斜材や筋交いを入れるブレース形式の耐震壁補強に替わり、意匠的にも機能的にも問題の生じない薄型の耐震壁補強を提供することが可能となった。
【００１０】
即ち、ブレース形式の耐震壁補強部材を採用した従来の耐震壁補強工法では、バッテン形状のブレースが、耐震補強壁や窓開口部に形成されてしまい建物全体の意匠に悪影響を及ぼす他、開口部においては、開口部の機能を損なうことが多かったが、本考案では、壁構造又は壁式構造の建物において、該壁構造又は壁式構造の建物を構成する耐力壁の表面に炭素繊維シートや耐アルカリ性ビニロン繊維メッシュシート並びにポリエステル繊維ベルトシートを巻着又は貼着して耐震補強シート部材となし、該耐震補強シート部材はエポキシ樹脂やポリウレタン樹脂、或いはモルタル系接着剤を用いて耐力壁の表面に接着されている耐震補強用シート貼り壁を提供することによりブレース形式の耐震壁補強部材を不要とすることができ、従来の欠点を解消することができた。
【００１１】
また、従来の耐震壁補強工事においては、建物の耐力壁における構造鉄骨や鉄筋に直接ブレースを固着するなど、大規模な工事となり、学校、病院、共同住宅などでは、その建物の使用目的からして、騒音や振動よる不快感を回避するために工事中の建物利用に課題があり、多くの場合、耐震壁補強工事の着工は、建物の使用を一時止めた後に施工されるような対策が採られていたが、本考案においては、耐力壁に巻着、又は貼着可能な繊維シートからなる耐震壁補強シート部材を用いることにより、工事中の騒音や振動を軽減して耐震壁補強工事中でも建物利用が可能な後付け耐震補強壁の構築を提供することができた。
【図面の簡単な説明】
【００１２】
【図１】（Ａ）本考案の実施箇所を示す説明図で、共同住宅の階段側を示している。（Ｂ）本考案の実施箇所を示す説明図で、共同住宅のバルコニー側を示している。
【図２】（Ａ）本考案の開口部側の形態示す断面図である。（Ｂ）本考案の階段側壁面の形態を示す断面図である。
【考案を実施するための形態】
【００１３】
斯くして、本考案は、壁構造又は壁式構造の建物において、該壁構造又は壁式構造の建物を構成する耐力壁の表面に炭素繊維シートや耐アルカリ性ビニロン繊維メッシュシート並びにポリエステル繊維ベルトシートを巻着又は貼着して耐震補強シート部材となし、該耐震補強シート部材はエポキシ樹脂やポリウレタン樹脂、或いはモルタル系接着剤を用いて耐力壁の表面に接着されている構成の耐力壁における耐震補強用シート貼り壁を提供するものである。
【００１４】
また、本考案は、壁構造又は壁式構造の建物において、該壁構造又は壁式構造の建物を構成する耐力壁の表面に炭素繊維シートや耐アルカリ性ビニロン繊維メッシュシート並びにポリエステル繊維ベルトシートを巻着又は貼着して耐震補強シート部材となし、該耐震補強シート部材はエポキシ樹脂やポリウレタン樹脂、或いはモルタル系接着剤を用いて耐力壁の表面に接着されており、該耐震補強シートのトップコートには耐火性能を有する熱反射性塗料又は断熱塗料を塗布した構成の耐力壁における耐震補強用シート貼り壁を提供するものである。
【００１５】
斯くして、本考案の実施にあたり、要旨となる考案の概要、並びに技術的背景を説明しておきたい。本考案は、既存建物の外観が変わらない薄型の耐震補強部材による耐震補強方法をめざして、建物の窓等の開口部を残して壁面全体を繊維シートで、巻きつけて覆い、或いは繊維シートを貼着して覆うもので、本来の建物の外観を変えることなく行う後付け可能な耐震補強を要旨とする。
【００１６】
本考案の耐震補強の実施に当たっては、建物の生活者が住みながら工事を行う事が出来る、所謂、居ながら施工を実現できる。本考案の如く建物内部には係わらない外壁補強工事の考えかたは新しいもので、従来工法では柱や壁面内部をも耐震補強する考え方のために、建屋の内側にも係わる場合が発生し、戸別に室内施工の了解を得る必要があった。学校や病院においては、移動などして利用者のいない室内状況を作る必要性があり、共同住宅においては、不賛同者がでれば施工ができない可能性も発生してしまい、騒音や振動の少ない、居ながら施工は普及できないできた。本考案は、外壁面のみを施工する外装工事として考案されているため、施工中の利用者や生活者との関係を軽減した耐震補強技術である。
【００１７】
また、本考案は、外壁面を繊維シートにて補強した後、仕上げは耐火性能及び熱反射、断熱などの性能をもつエコ建築に適切なトップコートで被覆するためにＣＯ２の削減を目指したエコ建築となり、本考案の耐震補強用シート貼り技術は、建物全体を耐震補強シート部材で覆うために既存躯体のコンクリートの劣化保全にも寄与するものである。尚、利用可能な場合、屋上防水施工の耐震年数など勘案して屋上に太陽電池パネルの設置や屋上緑化もメニューに入れてエコ化を図ることも可能である。
【００１８】
更に、本考案は、耐震補強工事を外壁全面の外装工事として開発しており、外装塗装工事と同程度の施工内容であり、然も、塗装工事では常に発生するケレン等の粉塵や、ガン噴き塗料の飛散等の環境汚染に関する心配がないので、工事中の閉塞性を回避するため、単管足場を利用せずゴンドラ施工として、更に居ながら施工の生活者への配慮を高めることもできる。
【００１９】
斯くして、耐震補強工事に関する公共建築の昨今の課題について説明すると、公共建築物は、計画時期の社会情勢を基に建設されており、社会情勢の変化に対応して改修しながら耐用年数を全うする課題を有している。昭和５６年５月以前、旧耐震基準に基づいて設計された壁式鉄筋コンクリート造の学校や共同住宅などの公共建築物における耐震強度は、窓開口部欠損部分が建物全体の南北側で著しくバランスを欠いていながら、学校や共同住宅などの部屋割りの壁が規則的に配置されており、それが補強材となって安全上の余力があったと、阪神淡路地震における建物の被害状況から診断されている。
【００２０】
然しながら、平成２０年４月１日現在、小中学校の総数１２７，１６４棟中、耐震補強もしくは、統廃合、改築などの方策が必要とされている建物は、４７，９４９棟とされており、本考案の如く居ながら耐震補強工事の施工水準を高めることで、夏休みなど季節限定の耐震補強工事から脱し、即急に子供たちの安全を守るための耐震補強工事を常時着工することが可能となる。
【００２１】
また、共同住宅に関しては、旧住宅公団の住宅は昭和４０年代に最も多く建設されており、まだ１０年以上の耐用年数を有しているために改修継続利用となっている棟数が多い。建築地の立地条件も悪くないが、利用状況についていえば、新たな若い家族の住居者が増えず、従来からの居住者の高齢化に伴い団地全体の高齢化現象に歯止めがかからない状況となっている。壁式鉄筋コンクリート造の中層共同住宅は、戸別の占有面積が平均４５平方メートルであり、今日の平均占有面積の７０平方メートルと比較して狭く、新たな若い家族のニーズに対応するリニューアルが急務となっている。
【００２２】
しかし、隣接した壁を貫いて二戸一のリニューアル案を試みる場合、既存建物の耐震強度との関から着工出来ない場合が想定される。旧公団住宅の賃貸住宅が団地内の緑化面積など生活環境の優良性とは裏腹に住空間のゆとりがないため、資産価値を低めているならば、耐震補強工事を行い、資産価値を高めるリニューアルに着手すべきであると考えられる。
【００２３】
生活者の生命や生活の安全を守る公共事業において、生活者の生命や生活の安全を守るための耐震補強工事が、将来にわたって公共施設の資産価値を高めることになる。そして、他の公共住宅については、市町村の公営住宅、各県の県営住宅、住宅公社とも同様の問題をかかえていると想像できる。
【００２４】
従って、現在の課題である耐震補強工事は、継続可能な社会を構築しようとする２１世紀の日本の課題を具現化するチャンスともいえ、壁構造又は壁式構造の建物の相対する壁量バランスを補正するために、窓などの開口による建物全体の壁量バランスの歪を、繊維シートを巻きつけて巻着したり、貼着して壁面を覆う事で補正し、バランスを回復させて耐震性を向上させる。更にＣＯ２削減のエコ建築への改修を同時施工することが本考案の要旨である。
【実施例１】
【００２５】
実施例１において、図１（Ａ）は、本考案の実施箇所を示す説明図で、共同住宅の階段側を示している。また、図１の（Ｂ）は、本考案の実施箇所を示す説明図で、共同住宅のバルコニー側を示している。また図２（Ａ）は本考案の開口部側（バルコニー側）の構成を示す断面図、図２（Ｂ）は本考案の階段側壁面の構成を示す断面図である。
【００２６】
図１（Ａ）、（Ｂ）、図２（Ａ）、（Ｂ）において、１は壁構造又は壁式構造の建物を構成する耐力壁からなる共同住宅の階段側壁面(耐力壁)を示し、２は同様に耐力壁からなるバルコニー側壁面全体を示している。そして、階段側壁面１の斜線部は階段側耐震補強壁面３を示し、バルコニー側壁面２の斜線部はバルコニー側耐震補強壁面４を示しており、５はそれぞれの壁面に設けられた窓等の開口部を示している。
【００２７】
而して、図２（Ａ）は図１（Ｂ）における開口部側の断面形状を示しており、６は室内側、７は室外側を示している。建物の耐力壁８における室外側７の表面には炭素繊維シートや耐アルカリ性ビニロン繊維メッシュシート、並びにポリエステル繊維ベルトシート等からなる耐震補強シート部材９が巻着又は貼着されており、外耐震補強シート部材９はエポキシ樹脂やポリウレタン樹脂、或いはモルタル系の接着剤１０にて前記建物の耐力壁８に接着されている。また、１１は耐震補強シート部材９のトップコートで、トップコート１１は耐火性能を有する熱反射性塗料又は断熱塗料等からなる。
【００２８】
同様に、図２（Ｂ）は図１（Ａ）に示す階段側の断面形状をしめしており、６は室内側、７は室外側を示している。建物の耐力壁８における室外側７の表面には炭素繊維シートや耐アルカリ性ビニロン繊維メッシュシート、並びにポリエステル繊維ベルトシート等からなる耐震補強シート部材９が巻着又は貼着されており、外耐震補強シート部材９はエポキシ樹脂やポリウレタン樹脂、或いはモルタル系の接着剤１０にて前記建物の耐力壁８に接着されている。また、１１は耐震補強シート部材９のトップコートで、トップコート１１は耐火性能を有する熱反射性塗料又は断熱塗料等からなる。
【００２９】
本考案の実施例１は、壁構造又は壁式構造の建物において、該壁構造又は壁式構造の建物を構成する耐力壁８の表面に炭素繊維シートや耐アルカリ性ビニロン繊維メッシュシート並びにポリエステル繊維ベルトシートを巻着又は貼着して耐震補強シート部材９となし、該耐震補強シート部材９はエポキシ樹脂やポリウレタン樹脂、或いはモルタル系の接着剤１０を用いて耐力壁８の表面、即ち、階段側耐震補強面３やバルコニー側耐震補強面４に接着材１０を介して接着されている耐力壁８における耐震補強用シート貼り壁を提供している。
【００３０】
また、実施例１においては、階段側壁面１及びバルコニー側壁面２が壁構造又は壁式構造の建物において、該壁構造又は壁式構造の建物を構成する耐力壁８の表面、即ち、階段側、又はバルコニー側耐震補強面３，４には炭素繊維シートや耐アルカリ性ビニロン繊維メッシュシート並びにポリエステル繊維ベルトシートを巻着又は貼着して耐震補強シート部材９となし、該耐震補強シート部材９はエポキシ樹脂やポリウレタン樹脂、或いはモルタル系の接着剤１０を用いて耐力壁８の表面に接着されており、該耐震補強シート部材９のトップコート１１として耐火性能を有する熱反射性塗料、又は断熱塗料を塗布した構成の耐力壁８における耐震補強用シート貼り壁とできる。
【００３１】
そして、本考案における他の実施例として、ラーメン構造の建物において、該ラーメン構造の建物を構成する柱や梁並びに開口部側壁や間口を構成する壁面に炭素繊維シートや耐アルカリ性ビニロン繊維メッシュシート、並びにポリエステル繊維ベルトシートを巻着又は貼着して耐震補強シート部材９となし、該耐震補強シート部材９はエポキシ樹脂やポリウレタン樹脂、或いはモルタル系接着剤を用いて前記壁面に接着されており、前記ラーメン構造の建物を構成する柱や梁並びに開口部側壁や間口を構成する壁面に設着された耐震補強シート部材９のトップコート１１には耐火性能を有する熱反射性塗料又は断熱塗料を塗布したラーメン構造の建物における耐震補強用シート貼り壁にも適用することが可能である。
【００３２】
斯くして、本考案は、従来から一般的に採用されてきた建物の耐力壁に補強用の斜材や筋交いを入れるブレース形式の耐震壁補強施工に替わり、意匠的にも機能的にも問題の生じない薄型の耐震壁補強施工を提供することが可能となった。
【００３３】
即ち、ブレース形式の耐震壁補強部材を採用した従来の耐震壁補強では、バッテン形状のブレースが、耐震補強壁や窓開口部に形成されてしまい建物全体の意匠に悪影響を及ぼす他、開口部においては、開口部の機能を損なうことが多かったが、本考案では、壁構造又は壁式構造の建物において、該壁構造又は壁式構造の建物を構成する耐力壁の表面に炭素繊維シートや耐アルカリ性ビニロン繊維メッシュシート並びにポリエステル繊維ベルトシートを巻着又は貼着して耐震補強シート部材となし、該耐震補強シート部材はエポキシ樹脂やポリウレタン樹脂、或いはモルタル系接着剤を用いて耐力壁の表面に接着されている耐震補強用シート貼り壁を提供することによりブレース形式の耐震壁補強部材を不要とすることができた。
【００３４】
また、従来の耐震壁補強工事においては、建物の耐力壁における構造鉄骨や鉄筋に直接ブレースを固着するなど、大規模な工事となり、学校、病院、共同住宅などでは、その建物の使用目的からして、騒音や振動よる不快感を回避するために工事中の建物利用に課題があり、多くの場合、耐震壁補強工事の着工は、建物の使用を一時止めた後に施工されるような対策が採られていたが、本考案においては、耐力壁に巻着、又は貼着可能な繊維シートからなる耐震壁補強シート部材を用いることにより、工事中の騒音や振動を軽減する施工技術を開発して耐震壁補強工事中でも建物利用が可能な後付け耐震補強壁の構築を提供することができた。
【００３５】
更に、本考案は、ラーメン構造の建物においても応用可能で、該ラーメン構造の建物を構成する柱や梁並びに開口部側壁や間口を構成する壁面に炭素繊維シートや耐アルカリ性ビニロン繊維メッシュシート、並びにポリエステル繊維ベルトシートを巻着又は貼着して耐震補強シート部材となし、該耐震補強シート部材はエポキシ樹脂やポリウレタン樹脂、或いはモルタル系接着剤を用いて前記壁面に接着されており、前記ラーメン構造の建物を構成する柱や梁並びに開口部側壁や間口を構成する壁面に設着された耐震補強シート部材のトップコートには耐火性能を有する熱反射性塗料又は断熱塗料を塗布することで、エコ建築に改修しながら耐震補強の可能な耐震補強用シート貼り技術を提供することができた。
【符号の説明】
【００３６】
１ 共同住宅の階段側壁面
２ 共同住宅のバルコニー側壁面
３ 階段側耐震補強面
４ バルコニー側耐震補強面
５ 開口部
６ 室内側
７ 室外側
８ 耐力壁
９ 耐震補強シート部材
１０ 接着剤
１１ トップコート
【図１】
0003194862.tif 000003
【図２】
0003194862.tif 000004